(57)【要約】  直動式のアクチュエータ１のシャフト９に装着されるカバーＡＳＳＹ１２は、シャフト９の下端部に形成されたオネジ部９ｂに螺合するナット１２ｂと、ブーツ１０保護のための有底円筒状のカバー本体１２ａと、プレート１２ｃとを備え、カバー本体１２ａの底部をプレート１２ｃとナット１２ｂでサンドイッチ構造に溶接してなる。
2010134125.tif 000002
【特許請求の範囲】
【請求項１】
アクチュエータのシャフトの一端に形成されたオネジ部に螺合するナットと、
有底円筒状のカバー本体と、
プレートとを備え、
前記カバー本体の底部を前記プレートと前記ナットでサンドイッチ構造に一体化してなるカバー。
【請求項２】
カバー本体とプレートのどちらか一方の対向面、及び前記カバー本体とナットのどちらか一方の対向面にそれぞれ溶接用凸部を設けて溶接することを特徴とする請求項１記載のカバー。
【請求項３】
カバー本体の、プレートに対向する面及びナットに対向する面それぞれに溶接用凸部を設けることを特徴とする請求項２記載のカバー。
【請求項４】
溶接用凸部は、プレート用及びナット用にそれぞれ３個以上設けることを特徴とする請求項３記載のカバー。
【請求項５】
カバー本体、プレート及びナットの各接合面をロー付けすることを特徴とする請求項１記載のカバー。
【請求項６】
直動式のアクチュエータに取り付けることを特徴とする請求項１記載のカバー。
【発明の詳細な説明】
【技術分野】
【０００１】
この発明は、直動式アクチュエータのシャフトに装着する遮熱及び遮蔽用のカバーに関するものである。
【背景技術】
【０００２】
従来、アクチュエータには、シャフト（出力軸）からの水、粉塵等の侵入を防止するために、シャフトを包囲するようにカバーが装着されている（例えば、特許文献１参照）。【０００３】
アクチュエータの一例として、電制式モータを用いた直動式のアクチュエータを用いて、シャフトに装着するカバーを説明する。図３は、直動式のアクチュエータ１とそのシャフト９に装着された従来のカバーＡＳＳＹ９１の構成を示す断面図である。このカバーＡＳＳＹ９１は、図４に示すように、カバー本体９１ａとウェルドナット９１ｂとからなり、図４（ａ）はカバー本体９１ａとウェルドナット９１ｂの溶接前、図４（ｂ）はカバー本体９１ａとウェルドナット９１ｂの溶接後の状態を示す。図３のアクチュエータ１は、外部入出力コネクタ２にあるターミナル３に電圧が印加されると、固定子４に巻回されたコイル５に電流が流れ、複数の極に分極された固定子４がＮＳ磁化する。ＮＳ着磁されたマグネット６を備え、両端をそれぞれベアリング７で保持された円筒状の回転子８は、固定子４のＮＳ磁化により回転する。この回転子８の内部には、回転を直動に変換するためのネジ機構８ａが構成されており、このネジ機構８ａがシャフト９側に構成されたネジ機構９ａと噛合うことにより、回転子８の回転運動がシャフト９の往復運動に変換される。なお、シャフト９と、このシャフト９を直動可能に軸支するボス１１とには、ネジ機構８ａの回り止め機構も設けてある。【０００４】
図３では、シャフト９とボス１１の隙間からアクチュエータ１内部に水、粉塵等が侵入することを防止するために、シャフト９とボス１１の隙間を被覆するようにブーツ１０に装着されている。一般に、ブーツ１０はゴム等の材料で製造されるので、このブーツ１０を熱、石等の異物による損傷から保護してアクチュエータ１内部への異物侵入を防止するために、シャフト９にカバーＡＳＳＹ（カバー）９１を装着する。従来のカバーＡＳＳＹ９１は、図４に示すように、板金で製造したカバー本体９１ａに、溶接用凸部９１ｂ−１を形成したウェルドナット９１ｂを溶接し、さらにロー付けしてなる。
カバーＡＳＳＹ９１はそのウェルドナット９１ｂを、シャフト９の下端部に螺刻されたオネジ部に締結し、その上からジョイント１３の一端をナット１４により締結している。このジョイント１３の他端には被駆動部１５が連結される。
【先行技術文献】
【特許文献】
【０００５】
【特許文献１】特開２００１−２６３０５５号公報
【０００６】
従来のカバーＡＳＳＹ９１は、そのウェルドナット９１ｂをシャフト９の端部に螺合させて装着し、カバーＡＳＳＹ９１をシャフト９と共に直動させるので、振動によってカバー本体９１ａとウェルドナット９１ｂの接合部９２が破損するという課題があった。【０００７】
この発明は、上記のような課題を解決するためになされたもので、耐振性を向上させた遮熱及び遮蔽用のカバーを提供することを目的とする。
【発明の概要】
【０００８】
この発明に係るカバーは、アクチュエータのシャフトの一端に形成されたオネジ部に螺合するナットと、有底円筒状のカバー本体と、プレートとを備え、カバー本体の底部をプレートとナットでサンドイッチ構造に一体化してなるものである。
【０００９】
この発明によれば、カバー本体をプレートとナットで挟み込んだ一体化構造にしたので、耐振性を向上させることができる。
【図面の簡単な説明】
【００１０】
【図１】この発明の実施の形態１に係る直動式アクチュエータとそのシャフトに装着されたカバーＡＳＳＹの構成を示し、図１（ａ）は断面図、図１（ｂ）は連結部分の正面図である。
【図２】図１に示すカバーＡＳＳＹの構成を示し、図２（ａ）は溶接前の断面図、図２（ｂ）は溶接後の断面図、図２（ｃ）はカバー本体底部の平面図を示す。
【図３】直動式アクチュエータとそのシャフトに装着された従来のカバーＡＳＳＹの構成を示す断面図である。
【図４】図３に示す従来のカバーＡＳＳＹの構成を示す断面図であり、図４（ａ）は溶接前、図４（ｂ）は溶接後の状態を示す。
【発明を実施するための形態】
【００１１】
以下、この発明をより詳細に説明するために、この発明を実施するための形態について、添付の図面に従って説明する。
実施の形態１．
図１（ａ）は、この発明の実施の形態１に係る直動式アクチュエータ１とそのシャフト９に装着されたカバーＡＳＳＹ（カバー）１２の構成を示す断面図であり、図１（ｂ）はアクチュエータ１と被駆動部１５の連結部分の正面図である。以下の実施の形態の説明において、アクチュエータ１は、先立って説明した図３のアクチュエータ１と同一の構成であるため、同一の符号を付して説明を省略する。なお、このアクチュエータ１は電制式モータを用いたものであるが、圧力式等、他の駆動方式のものであってもよい。
【００１２】
図２は、本実施の形態１に係るカバーＡＳＳＹ１２の構成を示し、図２（ａ）は溶接前、図２（ｂ）は溶接後の状態を示す断面図である。カバーＡＳＳＹ１２は、ブーツ１０を内部に収容可能な大きさの有底円筒状のカバー本体１２ａが、汎用品のナット１２ｂとプレート１２ｃとに挟まれたサンドイッチ構造でプロジェクション溶接されて、一体化したものである。
【００１３】
プロジェクション溶接を行うために先ず溶接用のダボを形成する。ここでは、図２（ａ）に示すようにカバー本体１２ａに、ナット１２ｂ側に突出したナット溶接用凸部１２ａ−１と、プレート１２ｃ側に突出したプレート溶接用凸部１２ａ−２をそれぞれ形成する。
なお、カバー本体１２ａではなく、ナット１２ｂのカバー本体１２ａ底部側にナット溶接用凸部を突設し、プレート１２ｃのカバー本体１２ａ底部側にプレート溶接用凸部を突設してもよい。ただし、プレート１２ｃにプレート溶接用凸部を突設した場合には、カバーＡＳＳＹ１２の溶接時にプレート１２ｃの表裏面を区別する必要がある。これに対して図２（ａ）のようにカバー本体１２ａにプレート溶接用凸部１２ａ−２を形成すれば、溶接時にプレート１２ｃの表裏面を区別する必要がないので組立時間が短縮でき、コスト低減及び量産性向上が可能となる。
【００１４】
また、ナット溶接用凸部１２ａ−１及びプレート溶接用凸部１２ａ−２は、それぞれ少なくとも１個ずつ形成する。本実施の形態では、溶接の信頼性を高めるために、図２（ｃ）に示すようにナット溶接用凸部１２ａ−１を円周上に等間隔に３個以上形成する。プレート溶接用凸部１２ａ−２も同様に円周上に等間隔に３個以上形成する。
【００１５】
そして、カバー本体１２ａの底部をナット１２ｂとプレート１２ｃとで挟み込んだサンドイッチ構造にして加圧しながら通電し、各ナット溶接用凸部１２ａ−１及び各プレート溶接用凸部１２ａ−２を抵抗熱で溶接する。
さらに、図２（ｂ）に示す溶接後の状態で、カバー本体１２ａとナット１２ｂ、カバー本体１２ａとプレート１２ｃの各接合面１６にローを流し込んでロー付けし、カバーＡＳＳＹ１２の一体構造をより強固にする。
【００１６】
サンドイッチ構造に溶接したカバーＡＳＳＹ１２をアクチュエータ１に装着する際には、シャフト９の下端部に形成されたオネジ部９ｂにカバーＡＳＳＹ１２のナット１２ｂを締結する。このカバーＡＳＳＹ１２は、ゴム製のブーツ１０を熱、石等の異物から保護して、損傷を防ぐ。また、アクチュエータ１内部への水、粉塵等の侵入防止のためにシャフト９とボス１１の隙間をブーツ１０で塞いでいるが、さらにカバーＡＳＳＹ１２を装着することによってラビリンス構造となり、より侵入しにくい構造になる。なお、万が一、カバーＡＳＳＹ１２の内側に水が浸入したときに備えて、底部に水抜き用の穴を穿設してもよい。
【００１７】
アクチュエータ駆動時、シャフト９の上下方向の直動に合わせてカバーＡＳＳＹ１２も直動するため、カバーＡＳＳＹ１２に振動が発生する。アクチュエータ１が直動式の場合、直動式であるが故に、ブーツ１０保護のためのカバー本体１２ａを長くする必要があり、カバーＡＳＳＹ１２全体の重量も増大し、振動も大きくなる。この振動に対して、本実施の形態ではカバー本体１２ａをナット１２ｂとプレート１２ｃとで挟み込むことでカバー本体１２ａのナット１２ｂに対する固定強度を向上させ、耐振性に優れた構造にできる。また、ナット溶接用凸部１２ａ−１及びプレート溶接用凸部１２ａ−２をそれぞれ、円周上に等間隔に３個以上設けることで、どの方向の振動に対しても溶接の接合面１６の耐性を確保でき、信頼性が向上する。また、溶接に加えてロー付けを行うことで耐振性をさらに高めることができる。
【００１８】
なお、プレート１２ｃを用いずに、カバー本体１２ａを厚くして又は接合面１６周辺を部分的に厚くして耐振性を向上させることも不可能ではないが、カバー本体１２ａ全体を厚くするとカバーＡＳＳＹ１２の重量が増加し、振動に対して信頼性が低下する恐れがある。また、カバー本体１２ａを部分的に厚くすると製造が複雑となり、コスト増大及び量産性低下につながる。
【００１９】
以上のように、実施の形態１によれば、アクチュエータ１のシャフト９に装着するカバーＡＳＳＹ１２を、カバー本体１２ａの底部をプレート１２ｃとナット１２ｂでサンドイッチ構造に一体化するように構成した。このため、耐振性を向上させた遮熱及び遮蔽用のカバーＡＳＳＹ１２を提供することができる。
【００２０】
また、カバー本体１２ａのナット１２ｂに対向する面にナット溶接用凸部１２ａ−１を設けると共に、カバー本体１２ａのプレート１２ｃに対向する面にプレート溶接用凸部１２ａ−２を設けるように構成した。このため、プレート１２ｃには溶接用凸部がないので溶接時に表裏面を区別する必要がないため、組立時間を短縮してコストを低減することができる。
【００２１】
また、ナット溶接用凸部１２ａ−１及びプレート溶接用凸部１２ａ−２をそれぞれ３個以上設けるように構成したので、どの方向の振動に対しても信頼性を向上させることができる。
【００２２】
また、カバー本体１２ａとナット１２ｂの接合面１６、及びカバー本体１２ａとプレート１２ｃの接合面１６をそれぞれロー付けすることにより、溶接だけでロー付けしない場合に比べて耐振性をより向上させることができる。
【００２３】
また、カバーＡＳＳＹ１２を装着するアクチュエータ１が直動式である場合には、直動式であるが故にブーツ１０保護のためのカバー本体１２ａを長くする必要があり、カバーＡＳＳＹ１２全体の重量も増大し、振動によるストレスも大きくなるので、より効果的である。
【００２４】
なお、上記実施の形態１では、カバー本体１２ａをナット１２ｂとプレート１２ｃでサンドイッチ構造にするために溶接して一体化しているが、溶接に限定されるものではなく、接着剤、かしめ等により一体化してもよい。
【産業上の利用可能性】
【００２５】
以上のように、この発明に係るカバーは、カバー本体の底部をプレートとナットでサンドイッチ構造に一体化することで耐振性の優れたカバーとしたので、直動式のアクチュエータ等に用いるのに適している。
【図１】
2010134125.tif 000003
【図２】
2010134125.tif 000004
【図３】
2010134125.tif 000005
【図４】
2010134125.tif 000006
【手続補正書】
【提出日】平成23年4月12日(2011.4.12)
【手続補正１】
【補正対象書類名】明細書
【補正対象項目名】全文
【補正方法】変更
【補正の内容】
【発明の詳細な説明】
【技術分野】
【０００１】
この発明は、直動式アクチュエータのシャフトに装着する遮熱及び遮蔽用のカバー及びアクチュエータに関するものである。
【背景技術】
【０００２】
従来、アクチュエータには、シャフト（出力軸）からの水、粉塵等の侵入を防止するために、シャフトを包囲するようにカバーが装着されている（例えば、特許文献１参照）。
【０００３】
アクチュエータの一例として、電制式モータを用いた直動式のアクチュエータを用いて、シャフトに装着するカバーを説明する。図３は、直動式のアクチュエータ１とそのシャフト９に装着された従来のカバーＡＳＳＹ９１の構成を示す断面図である。このカバーＡＳＳＹ９１は、図４に示すように、カバー本体９１ａとウェルドナット９１ｂとからなり、図４（ａ）はカバー本体９１ａとウェルドナット９１ｂの溶接前、図４（ｂ）はカバー本体９１ａとウェルドナット９１ｂの溶接後の状態を示す。図３のアクチュエータ１は、外部入出力コネクタ２にあるターミナル３に電圧が印加されると、固定子４に巻回されたコイル５に電流が流れ、複数の極に分極された固定子４がＮＳ磁化する。ＮＳ着磁されたマグネット６を備え、両端をそれぞれベアリング７で保持された円筒状の回転子８は、固定子４のＮＳ磁化により回転する。この回転子８の内部には、回転を直動に変換するためのネジ機構８ａが構成されており、このネジ機構８ａがシャフト９側に構成されたネジ機構９ａと噛合うことにより、回転子８の回転運動がシャフト９の往復運動に変換される。なお、シャフト９と、このシャフト９を直動可能に軸支するボス１１とには、ネジ機構８ａの回り止め機構も設けてある。
【０００４】
図３では、シャフト９とボス１１の隙間からアクチュエータ１内部に水、粉塵等が侵入することを防止するために、シャフト９とボス１１の隙間を被覆するようにブーツ１０に装着されている。一般に、ブーツ１０はゴム等の材料で製造されるので、このブーツ１０を熱、石等の異物による損傷から保護してアクチュエータ１内部への異物侵入を防止するために、シャフト９にカバーＡＳＳＹ（カバー）９１を装着する。従来のカバーＡＳＳＹ９１は、図４に示すように、板金で製造したカバー本体９１ａに、溶接用凸部９１ｂ−１を形成したウェルドナット９１ｂを溶接し、さらにロー付けしてなる。
カバーＡＳＳＹ９１はそのウェルドナット９１ｂを、シャフト９の下端部に螺刻されたオネジ部に締結し、その上からジョイント１３の一端をナット１４により締結している。このジョイント１３の他端には被駆動部１５が連結される。
【先行技術文献】
【特許文献】
【０００５】
【特許文献１】特開２００１−２６３０５５号公報
【発明の概要】
【発明が解決しようとする課題】
【０００６】
従来のカバーＡＳＳＹ９１は、そのウェルドナット９１ｂをシャフト９の端部に螺合させて装着し、カバーＡＳＳＹ９１をシャフト９と共に直動させるので、振動によってカバー本体９１ａとウェルドナット９１ｂの接合部９２が破損するという課題があった。
【０００７】
この発明は、上記のような課題を解決するためになされたもので、耐振性を向上させた遮熱及び遮蔽用のカバー及びアクチュエータを提供することを目的とする。
【課題を解決するための手段】
【０００８】
この発明に係るカバーは、アクチュエータのシャフトの一端に形成されたオネジ部に螺合するナットと、有底円筒状のカバー本体と、プレートとを備え、カバー本体の底部をプレートとナットでサンドイッチ構造に一体化してなるものである。
【０００９】
また、この発明に係るアクチュエータは、アクチュエータのシャフトの一端に形成されたオネジ部に螺合するナットと、有底円筒状のカバー本体と、プレートとを備え、カバー本体の底部をプレートとナットでサンドイッチ構造に一体化してなるカバーを有する。
【発明の効果】
【００１０】
この発明によれば、カバー本体をプレートとナットで挟み込んだ一体化構造にしたので、耐振性を向上させることができる。
【図面の簡単な説明】
【００１１】
【図１】この発明の実施の形態１に係る直動式アクチュエータとそのシャフトに装着されたカバーＡＳＳＹの構成を示し、図１（ａ）は断面図、図１（ｂ）は連結部分の正面図である。
【図２】図１に示すカバーＡＳＳＹの構成を示し、図２（ａ）は溶接前の断面図、図２（ｂ）は溶接後の断面図、図２（ｃ）はカバー本体底部の平面図を示す。
【図３】直動式アクチュエータとそのシャフトに装着された従来のカバーＡＳＳＹの構成を示す断面図である。
【図４】図３に示す従来のカバーＡＳＳＹの構成を示す断面図であり、図４（ａ）は溶接前、図４（ｂ）は溶接後の状態を示す。
【発明を実施するための形態】
【００１２】
以下、この発明をより詳細に説明するために、この発明を実施するための形態について、添付の図面に従って説明する。
実施の形態１．
図１（ａ）は、この発明の実施の形態１に係る直動式アクチュエータ１とそのシャフト９に装着されたカバーＡＳＳＹ（カバー）１２の構成を示す断面図であり、図１（ｂ）はアクチュエータ１と被駆動部１５の連結部分の正面図である。以下の実施の形態の説明において、アクチュエータ１は、先立って説明した図３のアクチュエータ１と同一の構成であるため、同一の符号を付して説明を省略する。なお、このアクチュエータ１は電制式モータを用いたものであるが、圧力式等、他の駆動方式のものであってもよい。
【００１３】
図２は、本実施の形態１に係るカバーＡＳＳＹ１２の構成を示し、図２（ａ）は溶接前、図２（ｂ）は溶接後の状態を示す断面図である。カバーＡＳＳＹ１２は、ブーツ１０を内部に収容可能な大きさの有底円筒状のカバー本体１２ａが、汎用品のナット１２ｂとプレート１２ｃとに挟まれたサンドイッチ構造でプロジェクション溶接されて、一体化したものである。
【００１４】
プロジェクション溶接を行うために先ず溶接用のダボを形成する。ここでは、図２（ａ）に示すようにカバー本体１２ａに、ナット１２ｂ側に突出したナット溶接用凸部１２ａ−１と、プレート１２ｃ側に突出したプレート溶接用凸部１２ａ−２をそれぞれ形成する。
なお、カバー本体１２ａではなく、ナット１２ｂのカバー本体１２ａ底部側にナット溶接用凸部を突設し、プレート１２ｃのカバー本体１２ａ底部側にプレート溶接用凸部を突設してもよい。ただし、プレート１２ｃにプレート溶接用凸部を突設した場合には、カバーＡＳＳＹ１２の溶接時にプレート１２ｃの表裏面を区別する必要がある。これに対して図２（ａ）のようにカバー本体１２ａにプレート溶接用凸部１２ａ−２を形成すれば、溶接時にプレート１２ｃの表裏面を区別する必要がないので組立時間が短縮でき、コスト低減及び量産性向上が可能となる。
【００１５】
また、ナット溶接用凸部１２ａ−１及びプレート溶接用凸部１２ａ−２は、それぞれ少なくとも１個ずつ形成する。本実施の形態では、溶接の信頼性を高めるために、図２（ｃ）に示すようにナット溶接用凸部１２ａ−１を円周上に等間隔に３個以上形成する。プレート溶接用凸部１２ａ−２も同様に円周上に等間隔に３個以上形成する。
【００１６】
そして、カバー本体１２ａの底部をナット１２ｂとプレート１２ｃとで挟み込んだサンドイッチ構造にして加圧しながら通電し、各ナット溶接用凸部１２ａ−１及び各プレート溶接用凸部１２ａ−２を抵抗熱で溶接する。
さらに、図２（ｂ）に示す溶接後の状態で、カバー本体１２ａとナット１２ｂ、カバー本体１２ａとプレート１２ｃの各接合面１６にローを流し込んでロー付けし、カバーＡＳＳＹ１２の一体構造をより強固にする。
【００１７】
サンドイッチ構造に溶接したカバーＡＳＳＹ１２をアクチュエータ１に装着する際には、シャフト９の下端部に形成されたオネジ部９ｂにカバーＡＳＳＹ１２のナット１２ｂを締結する。このカバーＡＳＳＹ１２は、ゴム製のブーツ１０を熱、石等の異物から保護して、損傷を防ぐ。また、アクチュエータ１内部への水、粉塵等の侵入防止のためにシャフト９とボス１１の隙間をブーツ１０で塞いでいるが、さらにカバーＡＳＳＹ１２を装着することによってラビリンス構造となり、より侵入しにくい構造になる。なお、万が一、カバーＡＳＳＹ１２の内側に水が浸入したときに備えて、底部に水抜き用の穴を穿設してもよい。
【００１８】
アクチュエータ駆動時、シャフト９の上下方向の直動に合わせてカバーＡＳＳＹ１２も直動するため、カバーＡＳＳＹ１２に振動が発生する。アクチュエータ１が直動式の場合、直動式であるが故に、ブーツ１０保護のためのカバー本体１２ａを長くする必要があり、カバーＡＳＳＹ１２全体の重量も増大し、振動も大きくなる。この振動に対して、本実施の形態ではカバー本体１２ａをナット１２ｂとプレート１２ｃとで挟み込むことでカバー本体１２ａのナット１２ｂに対する固定強度を向上させ、耐振性に優れた構造にできる。また、ナット溶接用凸部１２ａ−１及びプレート溶接用凸部１２ａ−２をそれぞれ、円周上に等間隔に３個以上設けることで、どの方向の振動に対しても溶接の接合面１６の耐性を確保でき、信頼性が向上する。また、溶接に加えてロー付けを行うことで耐振性をさらに高めることができる。
【００１９】
なお、プレート１２ｃを用いずに、カバー本体１２ａを厚くして又は接合面１６周辺を部分的に厚くして耐振性を向上させることも不可能ではないが、カバー本体１２ａ全体を厚くするとカバーＡＳＳＹ１２の重量が増加し、振動に対して信頼性が低下する恐れがある。また、カバー本体１２ａを部分的に厚くすると製造が複雑となり、コスト増大及び量産性低下につながる。
【００２０】
以上のように、実施の形態１によれば、アクチュエータ１のシャフト９に装着するカバーＡＳＳＹ１２を、カバー本体１２ａの底部をプレート１２ｃとナット１２ｂでサンドイッチ構造に一体化するように構成した。このため、耐振性を向上させた遮熱及び遮蔽用のカバーＡＳＳＹ１２を提供することができる。
【００２１】
また、カバー本体１２ａのナット１２ｂに対向する面にナット溶接用凸部１２ａ−１を設けると共に、カバー本体１２ａのプレート１２ｃに対向する面にプレート溶接用凸部１２ａ−２を設けるように構成した。このため、プレート１２ｃには溶接用凸部がないので溶接時に表裏面を区別する必要がないため、組立時間を短縮してコストを低減することができる。
【００２２】
また、ナット溶接用凸部１２ａ−１及びプレート溶接用凸部１２ａ−２をそれぞれ３個以上設けるように構成したので、どの方向の振動に対しても信頼性を向上させることができる。
【００２３】
また、カバー本体１２ａとナット１２ｂの接合面１６、及びカバー本体１２ａとプレート１２ｃの接合面１６をそれぞれロー付けすることにより、溶接だけでロー付けしない場合に比べて耐振性をより向上させることができる。
【００２４】
また、カバーＡＳＳＹ１２を装着するアクチュエータ１が直動式である場合には、直動式であるが故にブーツ１０保護のためのカバー本体１２ａを長くする必要があり、カバーＡＳＳＹ１２全体の重量も増大し、振動によるストレスも大きくなるので、より効果的である。
【００２５】
なお、上記実施の形態１では、カバー本体１２ａをナット１２ｂとプレート１２ｃでサンドイッチ構造にするために溶接して一体化しているが、溶接に限定されるものではなく、接着剤、かしめ等により一体化してもよい。
【００２６】
以上のように、この発明に係るカバーは、カバー本体の底部をプレートとナットでサンドイッチ構造に一体化することで耐振性の優れたカバーとしたので、直動式のアクチュエータ等に用いるのに適している。
【手続補正２】
【補正対象書類名】特許請求の範囲
【補正対象項目名】全文
【補正方法】変更
【補正の内容】
【特許請求の範囲】
【請求項１】
アクチュエータのシャフトの一端に形成されたオネジ部に螺合するナットと、
有底円筒状のカバー本体と、
プレートとを備え、
前記カバー本体の底部を前記プレートと前記ナットでサンドイッチ構造に一体化してなるカバー。
【請求項２】
カバー本体とプレートのどちらか一方の対向面、及び前記カバー本体とナットのどちらか一方の対向面にそれぞれ溶接用凸部を設けて溶接することを特徴とする請求項１記載のカバー。
【請求項３】
カバー本体の、プレートに対向する面及びナットに対向する面それぞれに溶接用凸部を設けることを特徴とする請求項２記載のカバー。
【請求項４】
溶接用凸部は、プレート用及びナット用にそれぞれ３個以上設けることを特徴とする請求項３記載のカバー。
【請求項５】
カバー本体、プレート及びナットの各接合面をロー付けすることを特徴とする請求項１記載のカバー。
【請求項６】
直動式のアクチュエータに取り付けることを特徴とする請求項１記載のカバー。
【請求項７】
シャフトに装着するカバーを有するアクチュエータにおいて、
前記カバーは、
前記アクチュエータのシャフトの一端に形成されたオネジ部に螺合するナットと、
有底円筒状のカバー本体と、
プレートとを備え、
前記カバー本体の底部を前記プレートと前記ナットでサンドイッチ構造に一体化してなる
ことを特徴とするアクチュエータ。
【国際調査報告】
2010134125.tif 000007
2010134125.tif 000008
2010134125.tif 000009
2010134125.tif 000010